(57)【要約】 【課題】本発明は、特別・高価な機構・構成の付加を伴うこと無しに、チューブ内圧力（閉塞圧）の微調整と共に、用途・目的の変更などによるチューブ径の大幅な変更等に対応する予備的調整をも可能とするチューブポンプを得ることを目的とする。【解決手段】  本発明に成るチューブポンプは、輸液チューブ内圧調整のための、ロータに搭載されるケーシング内周面とローラ外周面との離間距離調整手段として、ボルトとナットの螺合による微調整手段と共に、該ボルトの支点位置を可変自在とするため介挿配置されるスペーサーによる別の調整手段をも備え、該別の調整手段に係るスペーサーは、ボルトの支点を成す嵌挿孔端部周縁に、周方向に配列された段差部が形成されている。【選択図】        図１
2007224766.tif 000002
【特許請求の範囲】
【請求項１】
円弧状内周面を有するケーシングと、駆動軸で軸支され転回自在であって、ケーシングの内周面に沿って転動する複数のローラを備えるロータとを備え、前記ケーシングの内周面に沿うように案内され挿通される弾性チューブ内の液体をローラの転動押圧によって移送するように構成されるチューブポンプにおいて、弾性チューブ内圧調整のための、ロータに搭載されるケーシング内周面とローラ外周面との離間距離調整手段として、ボルトとナットの螺合による微調整手段と共に、該ボルトの支点位置を可変自在とするため介挿配置されるスペーサーによる別の調整手段をも備えること、を特徴とするチューブポンプ。
【請求項２】
前記別の調整手段に係るスペーサーが、ボルトの支点を成す嵌挿孔端部周縁に、周方向に異なる向きで形成された段差部を有すること、を特徴とする請求項１に記載のチューブポンプ。
【請求項３】
前記スペーサーのボルト嵌挿孔周縁段差が、深い溝と、該溝と周方向に所定角度を以って形成される浅い溝として形成されていること、を特徴とする請求項２に記載のチューブポンプ。
【発明の詳細な説明】
【技術分野】
【０００１】
本発明は、医療分野等で多用されるローラ式チューブポンプに関する。
【背景技術】
【０００２】
従来技術に成るチューブ内圧力（閉塞圧）調整のための、ケーシング内周面とローラ外周面との離間距離調整手段は、ボルトとナットの螺合による構成で、微調整には適したものであったが、用途・目的の変更などによるチューブ径の大幅な変更等には対応し難く、これら双方に対応出来る調整作業簡易化のための実現手段が期待されていた。
【０００３】
【特許文献１】（特開２０００−０１４７７５号公報）
【特許文献２】（特開２００１−１８７１３６号公報）
【０００４】
詳細は例示した特許文献公報等に譲り、輸液制御に係るチューブ内の圧力（閉塞圧）調整手段の改良は種々提案され実用に供されているが、いずれも、相応の新たな機構・構成の付加を伴うもので、利便性・用途拡大に伴うコスト低減等の期待に十分応えられないのが実態であった。
【０００５】
即ち、図４に示すケーシングの内周面１−１と転回駆動されるロータ２に搭載され転動自在のローラ２−２の外周面２−２１との間のクリアランス３が順次移動することで、該クリアランス３に貫挿され輸液チューブ（図示を省略）が扱かれることで、チューブ内の輸液が移送されることは周知の通りである。
【０００６】
また、輸液チューブが、用途・所望の機能に応じて種々のサイズが採用されることも上述の通り周知のことである。
【０００７】
そして、上述用途・機能に応じて、最適なチューブ内圧力を得るために、クリアランス３の大きさを調整するが、該チューブ内圧力の微調整手段として、ロータ取付け台２−１とローラを支持する腕２−３との間に架け渡すように形成されるボルト２−５・ナット２−６・拡張ばね２−７の組合せ構成が多用されていることは、従来技術の例を示す図５にも示し、後述の通り本願発明に成る例を示す図１にも示すように変わりは無い。
【０００８】
ところが、用途・所望の機能が大きく変更されるため、クリアランス３の微調整では対応できないときには、上述の通り、当然に当該輸液チューブのサイズ変更・交換を余儀なくされる。
【０００９】
この時、クリアランス３の微調整に適したボルト２−５・ナット２−６・拡張ばね２−７の組合せ構成では、例えば輸液チューブ径の大幅な変化には対応し得ず、クリアランス３を所定範囲に収めるために、ローラ外周面２−２１の位置に係る所定寸法に対応して、ロータ取付け台２−１やローラを支持する腕２−３を、異なる形状・寸法のものに取り替えることが不可避で、ロータ２全体の一括交換や、ロータ取付け台２−１やローラを支持する腕２−３の組み付け交換等の作業を強いられていた。
【発明の開示】
【発明が解決しようとする課題】
【００１０】
上述のような従来技術に成るチューブポンプの解決すべき課題は、特別・高価な機構・構成の付加を伴うこと無しに、チューブ内圧力（閉塞圧）の微調整と共に、用途・目的の変更などによるチューブ径の大幅な変化等に対応する予備的調整をも可能にすることである。
【課題を解決するための手段】
【００１１】
本発明に成るチューブポンプは、
円弧状内周面を有するケーシングと、駆動軸で軸支されて転回自在であって、ケーシングの内周面に沿って転動する複数のローラを備えるロータとを備え、前記ケーシングの内周面に沿うように案内され挿通される弾性チューブ内の液体をローラの転動押圧によって移送するように構成されるもので、弾性チューブ内圧調整のための、ロータに搭載されるケーシング内周面とローラ外周面との離間距離調整手段として、ボルトとナットの螺合による微調整手段と共に、該ボルトの支点位置を可変自在とするため介挿配置されるスペーサーによる別の調整手段をも備え、好ましくは、
【００１２】
前記別の調整手段に係るスペーサーには、ボルトの支点を成す嵌挿孔端部周縁に、周方向に配列された段差部が形成され、また、
【００１３】
前記スペーサーのボルト嵌挿孔周縁段差が、深い溝と、該溝と周方向に所定角度を以って形成される浅い溝として形成されている。
【発明の効果】
【００１４】
本発明に成るチューブポンプは、特別・高価な機構・構成の付加を伴うこと無しに、チューブ内圧力（閉塞圧）の微調整と共に、用途・目的の変更などによるチューブ径の大幅な変化等に対応する予備的調整をも可能とすることが出来る。
【発明を実施するための最良の形態】
【００１５】
以下図面により本発明の実施例を説明する。
【実施例１】
【００１６】
図１は、本発明に成るロータを搭載したチューブポンプの例を示す正面図で、図５に示す従来技術と対比し、図２乃至図４を参照して説明する。
【００１７】
本願発明は、上述用途・機能に応じて、最適なチューブ内圧力を得るためのクリアランス３の大きさ調整手段である、ロータ取付け台２−１とローラを支持する腕２−３との間に架け渡すように形成されるボルト２−５・ナット２−６・拡張ばね２−７の組合せ構成に、前記ボルト２−５の支点位置を変更するためのスペーサー２−８を介挿・付加するものである。
【００１８】
図２に本願発明でボルト２−５・ナット２−６・拡張ばね２−７の組合せ構成に付加し、ボルト２−５の支点位置を可変するためのスペーサー２−８を示す。
【００１９】
図２に例示する該スペーサー２−８は、ボルト２−５の一端側に付設されるピン２−５１の受け部位置、即ち、ボルトの支点位置を可変するためのもので、ピン２−５１との嵌着部位を浅い溝２−８３とするか、深い溝２−８２とするかの選択で、ボルト２−５の支点位置を変えるようにしている。
【００２０】
なお、微調整用ボルトの支点位置に係るボルト端部の当接部位は、図示し上述説明のように、ボルトの一端近傍に付設されるピンと、スペーサーに形成された該ピンを嵌着するための溝との組合せが最も簡易な構成であるが、これに限定されるものでは無く、その形状自体に新規性を求めるものではないので、図示も詳細な説明も省略するが、ボルト端部に鍔状の胴当り部として形成する構成や、ボルト端部を曲げ形成する構成等種々実施可能で、また、
【００２１】
受け側のスペーサーの段差形成も、図示し説明したように、深い溝とこれと周方向直角を成す浅い溝を備える２段構成による、２つの支点位置変更に対応する構成が最も簡易な構造であるが、１個のスペーサーを多用途に共用するために、深い溝と共に、所定角度を以って夫々軸方向に異なる支点部位を形成する段差となる複数の浅い溝を形成することも可能である。但し、これも図示は省略する。
【産業上の利用可能性】
【００２２】
本発明に成るチューブポンプは、多様なチューブ内圧力（閉塞圧）調整の簡易化を実現し、医療分野等での利用を一層容易とすることが出来る。
【図面の簡単な説明】
【００２３】
【図１】本発明に成るチューブポンプのロータの例の正面図である。
【図２】図１の例のロータに搭載されるスペーサーの例の説明図である。
【図３】図１の例の、ボルトのピンとスペーサーの溝との嵌着状態を説明する部分略図である。
【図４】本発明に係るチューブポンプの正面全体図である。
【図５】従来技術に成るチューブポンプのロータの例の正面図である。
【符号の説明】
【００２４】
０        チューブポンプ
１        ケーシング
１−１    ケーシングの内周面
２        ロータ
２−１    ロータ取付け台
２−２    ローラ
２−２１  ローラの外周面
２−３    ローラを支持する腕
２−４    ローラ支持腕の支軸
２−５    ボルト
２−５１  ピン
２−６    ナット
２−７    拡張ばね
２−８    スペーサー
２−８１  ボルト嵌挿孔
２−８２  深い溝
２−８３  浅い溝
３        クリアランス
４        カンザ
【図１】
2007224766.tif 000003
【図２】
2007224766.tif 000004
【図３】
2007224766.tif 000005
【図４】
2007224766.tif 000006
【図５】
2007224766.tif 000007